(57)【特許請求の範囲】
【請求項１】
表示パネルが設けられた可動フロントケースと、ＬＣＤモジュールが設けられた可動リアケースとを備える可動側ケース筐体と連結ヒンジ部を介して連結される固定側ケース筐体とを備える携帯端末装置であって、
前記可動フロントケースの上面側に形成された矩形状の内周面部には、当該内周面部の形状とほぼ同一形状のフレーム部材が一体成形され、
前記表示パネルは、前記フレーム部材の上面側の内周面部に一方の面が貼り付けられる両面テープ部材の他方の面により貼り付け固定され、
前記フレーム部材の下面側の内周面部には、防塵シート部材の一方の面が当接され、
前記可動フロントケースは、前記可動リアケースに設けられたＬＣＤモジュールの上面側に防塵シート部材の他方の面を介して取り付け固定されることを特徴とする携帯端末装置。
【請求項２】
前記防塵シート部材の両面は、粘着材を有する粘着層が形成され、このうち一方の面は、前記フレーム部材の外周面に沿って貼り付け固定され、他方の面は、前記可動リアケースに設けられたＬＣＤモジュールの上面側の一部に貼り付け固定されることを特徴とする請求項１に記載の携帯端末装置。
【請求項３】
前記可動フロントケースの上面側の内周面部に固定された前記フレーム部材の少なくとも一方の端部は、当該可動フロントケースのケース内部に埋設されることを特徴とする請求項１に記載の携帯端末装置。
【請求項４】
前記可動フロントケースの上面側の内周面部に固定された前記フレーム部材の少なくとも他方の端部は、長手方向に延出された延出板部として形成され、当該延出板部の下面側に前記両面テープ部材の下面側が貼り付け固定されることを特徴とする請求項２に記載の携帯端末装置。
【請求項５】
前記可動リアケースに設けられた前記ＬＣＤモジュールには、前記フレーム部材と電気的に導通自在な板金部材が設けられるとともに、前記板金部材の両端部には、グランド接地される導通テープ部材が貼り付け固定されることを特徴とする請求項１に記載の携帯端末装置。
【発明の詳細な説明】
【技術分野】
【０００１】
本発明は、ＬＣＤ表示パネルを備えた携帯端末装置に関し、特に、ＬＣＤ表示パネルの剥がれや浮きを防止することができる携帯端末装置に関するものである。
【背景技術】
【０００２】
近年の携帯電話機は、可動側筐体と固定側筐体とを連結部により折り畳み自在に連結するとともに、比較的大型のＬＣＤ表示パネル（液晶表示パネル）を備えているものが多い。そして、このようなＬＣＤ表示パネルを携帯電話機に取り付ける場合には、両面テープを使用して、携帯電話機の可動フロントケース側に貼り付ける方法が主に採用されている。
【０００３】
また、このＬＣＤ表示パネルには、携帯電話機の可動側筐体の内部などに塵や埃などのゴミの浸入を防止するための防塵用のパッキン部材（防塵シート部材）が貼り付け固定されている（特許文献１参照）。
【０００４】
【特許文献１】特開２００６−６０３９６号公報
【発明の開示】
【発明が解決しようとする課題】
【０００５】
ところが、上述した従来の携帯電話機の場合には、装置が薄型化・小型化となっているため、近年のＬＣＤモジュールの大型化に伴い、ＬＣＤ表示パネルを保護するパネルの貼り付け部分が従来の樹脂またはダイカストによる成形では必要な肉厚を確保することができないという問題がある。すなわち、ＬＣＤ表示パネルを貼り付ける領域を十分に確保できないという問題がある。
【０００６】
これにより、両面テープによる接着力が不足するためＬＣＤ表示パネルの浮きや剥がれが発生するという問題があった。そして、同様の理由から、防塵シート部材の貼り付け領域も十分に確保できないため、装置内部に埃やゴミなどが侵入するという問題があった。
【０００７】
さらに、ＬＣＤ表示パネルが設けられた装置の筐体部分（可動フロントケース）の薄型化にともないＬＣＤ表示パネル近傍の剛性を確保することが困難となり、これによって、ＬＣＤ表示パネルやＬＣＤモジュールが破損する恐れがあるという問題がある。
【０００８】
上述したＬＣＤ表示パネルの取り付けに関する問題点について、以下、図９を用いて説明する。図９は、従来の可動フロントケースの内部構成を示す要部拡大断面図を示している。
【０００９】
すなわち、従来では、図９に示すように、可動フロントケース２１０の内側に表示パネル２１１ａ（ＬＣＤ表示パネル）とＬＣＤモジュール６００をそれぞれ配置しており、このうち、可動フロントケース２１０に対する表示パネル２１１ａの取り付けは、両面テープ部材３００ａを使用して行なわれる。また、ＬＣＤモジュール６００は、表示パネル２１１ａの裏面側に防塵シート部材５００ａを使用して直接貼り付け固定されている。
【００１０】
すなわち、表示パネル２１１ａは、両面テープ部材３００ａ（パッキン部材）による図９の上方に向かう反力が作用するとともに、この両面テープ部材３００ａによる接着範囲が少ないため、浮きが発生したり剥がれるなどの不具合が発生する。
【００１１】
また、同図に示すように、可動フロントケース２１０に対する両面テープ部材３００ａの貼り付け領域および表示パネル２１１ａと防塵シート５００ａとの貼り付け領域はそれぞれ小領域となってしまうため、この結果、両面テープ部材３００ａおよび防塵シート５００ａの貼り付け強度が低下することとなる。
【００１２】
そこで、この発明は、上述した従来技術の課題を解決するためになされたものであり、ＬＣＤ表示パネルの浮きや剥がれを防止できうえ剛性を維持できる携帯端末装置を提供することを目的とする。  
【課題を解決するための手段】
【００１３】
携帯端末装置の可動フロントケースの上面側には、可動フロントケースの内周面部の形状とほぼ同一形状のフレーム部材が一体成形されるとともに、表示パネルは、フレーム部材の上面側に一方の面が貼着された両面テープ部材により貼り付け固定され、可動リアケースは、ＬＣＤモジュールの上面側とフレーム部材の下面側に介在される防塵シート部材を介して貼り付け固定されることを要件とする。
【発明の効果】
【００１４】
表示パネルは、可動フロントケースの内周面部に固定されたフレーム部材の上面側に一方の面が貼着された両面テープ部材により貼り付け固定され、可動リアケースは、ＬＣＤモジュールの上面側とフレーム部材の下面側に介在される防塵シート部材を介して貼り付け固定されるので、両面テープ部材による貼り付け領域が広くなるため表示パネルの浮きや剥がれを防止できるうえ、フレーム部材の介在により剛性を確保することができ、可動フロントケースやＬＣＤモジュールのの破損などを防止することができる。
【発明を実施するための最良の形態】
【００１５】
以下に添付図面を参照して、この発明に係る携帯端末装置の好適な実施例１を詳細に説明する。本実施例１は、携帯端末装置として携帯電話機への適用例を示す。なお、この実施例１によりこの発明が限定されるものではない。 
【実施例１】
【００１６】
ここで、図１は、本発明における実施例１に係る携帯電話機１０の開放状態を示す斜視図である。同図に示すように、携帯電話機１０は、掌サイズの固定側筐体１００および可動側筐体２００と、これら固定側筐体１００および可動側筐体２００とを連結部２５０により組み付けられている。
【００１７】
すなわち、同図に示すように、携帯電話機１０は、送話用に用いられるとともに、数字（０〜９）のキーを有するテンキー１１１および機能キー（モード設定キー）１１２などの各種操作キーを備える固定側筐体１００と、この固定側筐体１００と、ほぼ同等サイズに形成されたＬＣＤモジュール６００（図４）を備える可動側筐体２００とを連結部２５０により折り畳み自在に連結している。これら固定側筐体１００及び可動側筐体２００は、箱形状に形成され、その材料には、例えば、軽量で高強度のマグネシウム合金などが使用されている。 
【００１８】
このうち、固定側筐体１００は、テンキー１１１などの各種操作キーを有する操作パネル板１１５が配置された固定フロントケース１１０と、背面側（図１の下側）に位置する固定リアケース１２０との２分割構造を備えている。
【００１９】
同図に示すように、固定フロントケース１１０には、上述したテンキー１１１、機能キー１１２、テレビ電話キー１１３や携帯電話機１０の利用者の音声を電気信号に変換するマイクロホンが内部に配設された送話口１１４など設けられている。そして、これら両ケース１１０、１２０は、それぞれ４箇所の位置で取り付けネジ（図示せず）によるネジ止め固定により組み付けられている。
【００２０】
同様に、可動側筐体２００は、可動フロントケース２１０と、背面側（図１の下側）に位置する可動リアケース２２０との２分割構造とを備えている。同図に示すように、このうち可動フロントケース２１０の表面のほぼ中央部には、ＬＣＤモジュール（液晶表示装置）６００（図４）を視認するための大型の表示パネル２１１が設けられている。
【００２１】
また、可動フロントケース２１０の上端部には、携帯電話機１０の使用者の耳を当てて音声を聞き取るための受話口２１２が配設されている。これら、両ケース２１０、２２０もそれぞれ４箇所の位置で取り付けネジ(図示せず)により取り付け固定されるとともに、表示パネル２１１の上部位置には、ネジ用の目隠しカバー２１３が設けられている。
【００２２】
ここで、本実施例１による携帯電話機１０では、この携帯電話機１０の可動フロントケース２１０の上面側に可動フロントケース２１０の内周面部の形状とほぼ同一形状のフレーム部材４００を一体成形していることに特徴がある。
【００２３】
また、表示パネル２１１は、フレーム部材４００の上面側に一方の面が貼着された両面テープ部材３００により貼り付け固定され、可動リアケース２２０は、ＬＣＤモジュール６００の上面側とフレーム部材４００の下面側に介在される防塵シート部材５００を介して貼り付け固定されるていることに特徴がある。
【００２４】
具体的に説明すると、表示パネル２１１は、可動フロントケース２１０の内周面部に固定されたフレーム部材４００の上面側に一方の面が貼着された両面テープ部材３００により貼り付け固定されている。また、可動リアケース２２０は、ＬＣＤモジュール６００の上面側とフレーム部材４００の下面側に介在される防塵シート部材５００を介して貼り付け固定されており、これにより、表示パネル２１１および防塵シート部材５００の剥がれや浮きを防止している。
【００２５】
以下、図２〜図６を用いて、本実施例１の携帯電話機１０の内部構成の詳細について説明する。ここで、図２は、可動側筐体を構成する可動フロントケースの内部を示す分解斜視図を、図３は、可動フロントケースの内部を示す分解構成図をそれぞれ示している。また、図４は、図１の要部拡大Ａ−Ａ断面図である。また、図５は、ＬＣＤモジュールの上面からの分解斜視図を、図６は、ＬＣＤモジュールの下面からの分解斜視図をそれぞれ示している。
【００２６】
図２〜図６に示すように、可動側筐体２００は、箱形状の可動リアケース２２０と、この可動リアケース２２０の開口部の位置に組み付け固定される箱形状の可動フロントケース２１０とを備えており、この可動フロントケース２１０の内部は、図２の上から表示パネル２１１、ＬＣＤモジュール６００、ＬＣＤホルダ板金７００(図４)の順で配置されている。
【００２７】
また、可動フロントケース２１０は、この可動フロントケース２１０の本体部２１２(図３)の内周面部２１４にフレーム部材４００を合体することで一体成形された筐体としている。
【００２８】
また、フレーム部材４００の本体部は、長手方向に延出する平面部４１０(図４)と、ク字型に屈曲した屈曲部４２０とを有しており、このうちの平面部４１０の一部と屈曲部４２０が、可動フロントケース２１０の内周面部２１４の内部に埋設されている。このため、可動フロントケース２１０の内周面部２１４の端部からフレーム部材４００を領域ｔ分だけ延出させることができ、これによって、両面テープ部材３００が貼り付けされる貼り付け領域を広く確保（領域ｔ１）することができる。
【００２９】
すなわち、可動側筺体２００の可動フロントケース２１０を肉厚の薄いフレーム部材４００（ステンレス板金）を使い一体成型することにより樹脂では成形できない厚みを板金にて形成する事が可能となるため、樹脂筺体に比べ剛性を確保しやすくなり、装置の強度向上を可能とすることができる構造としている。
【００３０】
また、フレーム部材４００を設けたことにより、表示パネル２１１に対する両面テープ部材３００による貼り付け面積を拡大することが可能になり、この表示パネル２１１の剥がれや浮きを確実に防止することが可能となる。
【００３１】
また、防塵シート部材５００は、上面がフレーム部材４００の平面部４１０の下面に当接された状態で貼り付けされている。これにより、ＬＣＤモジュール６００への埃侵入防止の防塵シート部材５００をフレーム部材４００の裏面に確保することが可能となる。
【００３２】
また、従来のように、この防塵シート部材５００および両面テープ部材３００は、表示パネル２１１の裏面への貼り付けではないことからパッキンの圧縮反力の影響による表示パネル２１１の剥がれや浮きを防止することができる。
【００３３】
ＬＣＤモジュール６００は、ＬＣＤ６１０と上面に積層された偏光板６１０と、下面に積層された導光板６２０と樹脂フレーム６３０とを備えている。また、樹脂フレーム６３０の下面には、ＬＣＤホルダ板金７００が固設されている。
【００３４】
以上説明したように、本実施例１の携帯電話機１０は、可動フロントケース２１０の上面側には、可動フロントケース２１０の内周面部の形状とほぼ同一形状のフレーム部材４００が固定（一体成形）されるとともに、表示パネル２１１は、フレーム部材４００の上面側に一方の面が貼着された両面テープ部材３００により貼り付け固定され、可動リアケース２２０は、ＬＣＤモジュール６００の上面側とフレーム部材４００の下面側に介在される防塵シート部材５００を介して貼り付け固定されるので、表示パネル２１１の浮きや剥がれを防止できるうえＬＣＤモジュール６００の剛性を向上させることができる。
【実施例２】
【００３５】
次に、本実施例２に係る携帯電話機１０について説明する。図７は、実施例２に係る可動フロントケースの内部示す要部拡大断面図である。また、図８は、導通テープの取り付け位置を説明する説明図である。
【００３６】
すなわち、本実施例２では、可動フロントケース２１０に設けられたＬＣＤモジュール６００には、フレーム部材４００と電気的に導通自在な導通テープ８００が設けられるとともに、このＬＣＤホルダ板金７００の両端部に導通テープ８００が貼り付け固定されることを特徴としている。
【００３７】
同図に示すように、導通テープ８００を設ける場合には、可動フロントケース２１０の下端部（図８の下側）に導電テープ８００を取り付けるとともに、ＬＣＤホルダ板金７００の両端部側に、導電テープ８００の端部を折り返し、それぞれの端部をＬＣＤホルダ板金７００の両端部に貼り付ける。すなわち、このように導電テープ８００を設けることにより、可動フロントケース２１０に一体成形したフレーム部材４００をグランド接地することができる。
【００３８】
以上説明したように、本実施例２の携帯電話機１０は、可動リアケース２２０に設けられたＬＣＤモジュール６００には、フレーム部材４００と電気的に導通自在な導通テープ８００が設けられるので、可動フロントケース２１０に一体成形したフレーム部材４００をグランド接地することができ、これにより確実に静電気対策を行なうことができる。
【００３９】
（他の実施例）
さて、これまで本発明の実施例１、２について説明したが、本発明は上述した実施例以外にも、上記特許請求の範囲に記載した技術的思想の範囲内において、種々の異なる実施例にて実施することもできる。 
【００４０】
すなわち、本実施例１、２では、ヒンジ部による折り畳み方式の携帯電話機への適用例として説明したが、図示例のヒンジ構造に限らず各種ヒンジ構造に適用でき、さらには、ヒンジ構造による折り畳み方式に限らず、本発明は、例えばスライド方式や平面内回転方式の連結部構成によって固定側筐体に対して可動側筐体を重ね合わせ自在としたものであっても同様に適用することができる。 
【００４１】
また、本実施例１、２では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置の場合にも適用することができる。 
【００４２】
以上の実施例１、２を含む実施形態に関し、さらに以下の付記を開示する。
【００４３】
（付記１）表示パネルが設けられた可動フロントケースと、ＬＣＤモジュールが設けられた可動リアケースとを備える可動側ケース筐体と連結ヒンジ部を介して連結される固定側ケース筐体とを備える携帯端末装置であって、
前記可動フロントケースの上面側に形成された矩形状の内周面部には、当該内周面部の形状とほぼ同一形状のフレーム部材が一体成形され、
前記表示パネルは、前記フレーム部材の上面側の内周面部に一方の面が貼り付けられる両面テープ部材の他方の面により貼り付け固定され、
前記フレーム部材の下面側の内周面部には、防塵シート部材の一方の面が当接され、
前記可動フロントケースは、前記可動リアケースに設けられたＬＣＤモジュールの上面側に防塵シート部材の他方の面を介して取り付け固定されることを特徴とする携帯端末装置。
【００４４】
（付記２）前記防塵シート部材の両面は、粘着材を有する粘着層が形成され、このうち一方の面は、前記フレーム部材の外周面に沿って貼り付け固定され、他方の面は、前記可動リアケースに設けられたＬＣＤモジュールの上面側の一部に貼り付け固定されることを特徴とする付記１に記載の携帯端末装置。
【００４５】
（付記３）前記可動フロントケースの上面側の内周面部に固定された前記フレーム部材の少なくとも一方の端部は、当該可動フロントケースのケース内部に埋設されることを特徴とする付記１に記載の携帯端末装置。
【００４６】
（付記４）前記可動フロントケースの上面側の内周面部に固定された前記フレーム部材の少なくとも他方の端部は、長手方向に延出された延出板部として形成され、当該延出板部の下面側に前記両面テープ部材の下面側が貼り付け固定されることを特徴とする付記２に記載の携帯端末装置。
【００４７】
（付記５）前記可動リアケースに設けられた前記ＬＣＤモジュールには、板金部材が設けられるとともに、前記板金部材の両端部には、グランド接地される導通テープ部材が貼り付け固定されることを特徴とする付記1に記載の携帯端末装置。
【００４８】
（付記６）前記可動フロントケースの上面側の内周面部に固定された前記フレーム部材の材料は、剛性を有するステンレス部材が使用されることを特徴とする付記１に記載の携帯端末装置。
【図面の簡単な説明】
【００４９】
【図１】実施例１に係る携帯電話機の開放状態を示す斜視図である。
【図２】可動側筐体を構成する可動フロントケースの内部を示す分解斜視図である。
【図３】可動フロントケースの内部を示す分解構成図である。
【図４】図１の要部拡大Ａ−Ａ断面図である。
【図５】ＬＣＤモジュールの上面からの分解斜視図である。
【図６】ＬＣＤモジュールの下面からの分解斜視図である。
【図７】実施例２に係る可動フロントケースの内部を示す要部拡大断面図である。
【図８】導通テープの取り付け位置を説明する説明図である。
【図９】従来の可動フロントケースの内部構成を示す要部拡大断面図である。
【符号の説明】
【００５０】
１０  携帯電話機
１００  固定側筐体
１１０  固定フロントケース
１１５  操作パネル
１２０  固定リアケース
２００  可動側筐体
２１０  可動フロントケース
２１１、２１１ａ  表示パネル
２２０  可動リアケース
２５０  連結部
３００、３００ａ  両面テープ
４００  フレーム部材
５００、５００ａ  防塵シート部材
６００  ＬＣＤモジュール
６４０  ＬＣＤユニット
７００  ＬＣＤホルダ板金
８００  導通テープ
【図１】
0004900304.tif 000002
【図２】
0004900304.tif 000003
【図３】
0004900304.tif 000004
【図４】
0004900304.tif 000005
【図５】
0004900304.tif 000006
【図６】
0004900304.tif 000007
【図７】
0004900304.tif 000008
【図８】
0004900304.tif 000009
【図９】
0004900304.tif 000010